(57)【要約】【課題】バーコード情報をＲＦタグに入力する作業を軽減することができ、これにより、バーコードとＲＦタグとを併用した物品管理ラベルを、簡単な作業により、バーコード情報に基づいてＲＦタグの特徴を生かして物品を管理できるラベルにすることができるタグ情報処理装置を得る。【解決手段】タグ情報処理装置１００において、バーコード情報を読み取るバーコード読取器１２０と、無線ＩＣタグから無線通信によりＩＣタグ情報を読み取る無線通信部１１０とを備え、バーコード読取器１２０によって読み取られたバーコード情報と無線通信部１１０によって読み取られたＩＣタグ情報とを関連付けて出力するようにした。【選択図】図１
2009187407.tif 000002
【特許請求の範囲】
【請求項１】
バーコード情報を読み取るバーコード読取器と、
無線ＩＣタグから無線通信によりＩＣタグ情報を読み取る無線通信部と
を備え、
該バーコード読取器によって読み取られたバーコード情報と該無線通信部によって読み取られたＩＣタグ情報とを関連付けて出力する、
タグ情報処理装置。
【請求項２】
請求項１に記載のタグ情報処理装置において、
前記バーコード情報は、１つの物品管理ラベルのバーコードから読み取られたものであり、
前記無線ＩＣタグは、該物品管理ラベルに取り付けられたものであり、
前記バーコード読取器によって読み取られたバーコード情報は、前記無線通信部により該無線ＩＣタグに書き込まれる、タグ情報処理装置。
【請求項３】
請求項１または２に記載のタグ情報処理装置において、
前記バーコード読取器および前記無線通信部を収容する筐体を備え、
該無線通信部は、無線通信のためのアンテナを有し、該アンテナの、電波を放射あるいは検出するアンテナ面が、該筐体を載置する載置面に対して鉛直方向を向くよう該筐体に取り付けられており、
該バーコード読取器は、そのバーコード検出面が、該無線通信部のアンテナ面の上方に位置し、かつ、該バーコード検出面を含む第１の平面と、該アンテナ面を含む第２の平面とが９０度以上の所定の角度で交わるよう、該筐体に取り付けられている、タグ情報処理装置。
【請求項４】
請求項１または２に記載のタグ情報処理装置において、
前記バーコード読取器および前記無線通信部を収容する筐体を備え、
該筐体は、該無線通信部を収容する筐体本体と、該バーコード読取器を収容する筐体頭部とを有し、
該筐体頭部は、該バーコード読取器のバーコード検出面を含む第１の平面と、該無線通信部の、電波を放射あるいは検出するアンテナ面を含む第２の平面とが９０度から９０度より大きい所定の角度までの範囲内で調整可能となるように、該筐体本体に対して回転可能に取り付けられている、タグ情報処理装置。
【請求項５】
バーコード情報とＩＣタグ情報とを関連付けるタグ情報処理システムであって、
該バーコード情報を読み取るバーコード読取器と、無線ＩＣタグから無線通信により該ＩＣタグ情報を読み取る無線通信部とを有するタグ情報処理装置と、
該バーコード読取器によって読み取られたバーコード情報と該無線通信部によって読み取られたＩＣタグ情報とを関連付ける関連付け手段と
を備えた、タグ情報処理システム。
【請求項６】
請求項５に記載のタグ情報処理システムにおいて、
前記関連付け手段は、前記無線通信部によって読み取られたＩＣタグ情報に基づいて、前記バーコード読取器によって読み取られたバーコード情報が前記無線ＩＣタグに書き込まれるように、前記タグ情報処理装置を制御する、タグ情報処理システム。
【発明の詳細な説明】
【技術分野】
【０００１】
本発明は、タグ情報処理装置およびタグ情報処理システムに関し、特に、バーコードから読み取ったバーコード情報と無線ＩＣタグから読み取ったＩＣタグ情報とを関連付けるタグ情報処理装置およびタグ情報処理システムに関するものである。
【背景技術】
【０００２】
従来より、販売店で扱う商品や工場で使用する部品などの物品の管理にはバーコードが用いられている。このバーコードは、物品に関する情報、例えば、品番、サイズ、価格などの情報（以下バーコード情報という。）を含むものであり、バーコードスキャナにより、そのバーコード情報を読み取ることができるようになっている。
【０００３】
ところで、近年、物品の管理用ラベルとして、バーコードが印刷されたバーコードラベルに代わって、ＲＦＩＤ（Ｒａｄｉｏ  Ｆｒｅｑｕｅｎｃｙ  Ｉｄｅｎｔｉｆｉｃａｔｉｏｎ）タグ、つまり無線ＩＣタグが用いられるようになってきている。このＲＦＩＤタグは、電磁的な方法により物品の識別情報などを送受信可能なものである（特許文献１）。
【０００４】
このようなＲＦＩＤタグ（以下ＲＦタグと略記する。）は、バーコードに比べて、情報の読取範囲が広い、情報の読取時間が短い、さらに情報の書込みが可能であるといった数々の長所がある。
【０００５】
このようにＲＦタグは、バーコードよりも広い用途が期待され、今後、バーコードからＲＦタグへの移行が進むものと考えられるが、現在は、その移行の過渡期であり、バーコードとＲＦタグとを併用している。
【特許文献１】特開２００２−７４２８６号公報
【発明の開示】
【発明が解決しようとする課題】
【０００６】
しかしながら、このようなバーコードとＲＦタグとを併用する物品管理ラベルでは、ＲＦタグの特徴を生かした物品の管理を行うには、バーコードのバーコード情報をＲＦタグと関連付ける必要があり、現在のところ、この関連付け作業は人手により行われており、作業効率が悪く、手間と時間のかかるものであるという問題点があった。
【０００７】
本発明は、上記従来の問題点を解決するためになされたもので、併用されるバーコードとＲＦタグとの間で、それらの関連付けを効率よく行うことができるタグ情報処理装置および該タグ情報処理装置を用いたタグ情報処理システムを得ることを目的とする。
【課題を解決するための手段】
【０００８】
本発明に係るタグ情報処理装置は、バーコード情報を読み取るバーコード読取器と、無線ＩＣタグから無線通信によりＩＣタグ情報を読み取る無線通信部とを備え、該バーコード読取器によって読み取られたバーコード情報と該無線通信部によって読み取られたＩＣタグ情報とを関連付けて出力するものであり、そのことにより上記目的が達成される。
【０００９】
本発明は、上記タグ情報処理装置において、前記バーコード情報は、１つの物品管理ラベルのバーコードから読み取られたものであり、前記無線ＩＣタグは、該物品管理ラベルに取り付けられたものであり、前記バーコード読取器によって読み取られたバーコード情報は、前記無線通信部により該無線ＩＣタグに書き込まれるものであることが好ましい。
【００１０】
本発明は、上記タグ情報処理装置において、前記バーコード読取器および前記無線通信部を収容する筐体を備え、該無線通信部は、無線通信のためのアンテナを有し、該アンテナの、電波を放射あるいは検出するアンテナ面が、該筐体を載置する載置面に対して鉛直方向を向くよう該筐体に取り付けられており、該バーコード読取器は、そのバーコード検出面が、該無線通信部のアンテナ面の上方に位置し、かつ、該バーコード検出面を含む第１の平面と、該アンテナ面を含む第２の平面とが９０度以上の所定の角度で交わるよう、該筐体に取り付けられていることが好ましい。
【００１１】
本発明は、上記タグ情報処理装置において、前記バーコード読取器および前記無線通信部を収容する筐体を備え、該筐体は、該無線通信部を収容する筐体本体と、該バーコード読取器を収容する筐体頭部とを有し、該筐体頭部は、該バーコード読取器のバーコード検出面を含む第１の平面と、該無線通信部の、電波を放射あるいは検出するアンテナ面を含む第２の平面とが９０度から９０度より大きい所定の角度までの範囲内で調整可能となるように、該筐体本体に対して回転可能に取り付けられていることが好ましい。
【００１２】
本発明に係るタグ情報処理システムは、バーコード情報とＩＣタグ情報とを関連付けるタグ情報処理システムであって、該バーコード情報を読み取るバーコード読取器と、無線ＩＣタグから無線通信により該ＩＣタグ情報を読み取る無線通信部とを有するタグ情報処理装置と、該バーコード読取器によって読み取られたバーコード情報と該無線通信部によって読み取られたＩＣタグ情報とを関連付ける関連付け手段とを備えたものであり、そのことにより上記目的が達成される。
【００１３】
本発明は、上記タグ情報処理システムにおいて、前記関連付け手段は、前記無線通信部によって読み取られたＩＣタグ情報に基づいて、前記バーコード読取器によって読み取られたバーコード情報が前記無線ＩＣタグに書き込まれるように、前記タグ情報処理装置を制御することが好ましい。
【発明の効果】
【００１４】
以上のように、本発明によれば、併用されるバーコードとＲＦタグとの間で、それらの関連付けを効率よく行うことができるという効果が得られる。
【発明を実施するための最良の形態】
【００１５】
以下、本発明の実施形態について図面を参照しながら説明する。
【００１６】
（実施形態１）
図１は本発明の実施形態１によるタグ情報処理システムを説明する図であり、図１（ａ）は全体構成を示す図、図１（ｂ）はその主要部を概念的に示す図である。図２は、本実施形態１のタグ情報処理システムで用いる物品管理ラベルを説明する図であり、図２（ａ）はその外観を示す平面図であり、図２（ｂ）はそのＲＦタグの回路構成を示す図である。
【００１７】
この実施形態１のタグ情報処理システム１００ａは、バーコードから読み取ったバーコード情報と無線ＩＣタグから読み取ったＩＣタグ情報を関連付けるものである。これにより、簡単な作業により、バーコードラベル２０とＲＦタグ１０とを併用する物品管理ラベル１を、バーコード情報に基づいてＲＦタグ１０の特徴を生かして物品を管理できるラベルにすることができる。
【００１８】
すなわち、このタグ情報処理システム１００ａは、バーコードラベル２０とＲＦタグ１０とを併用した物品管理ラベル１に対して情報の読出しおよび書込みを行うタグ情報処理装置１００と、タグ情報処理装置１００を制御するコンピュータシステム２３０ａとを有し、物品管理ラベル１のバーコード情報を読み取り、読み取ったバーコード情報をＲＦタグ１０に書き込むものである。
【００１９】
ここで、物品管理ラベル１は、バーコードラベル２０が貼り付けられたラベルシート１ａに、ＲＦタグ１０を貼り付けてなるものである。なお、バーコードラベル２０は、バーコード２０ｂとこれに対応する数字列２０ａとが印刷されたものであるが、ラベルシート１ａは、バーコードラベル２０が貼り付けられたものに限らず、バーコードおよび数字列が直接印刷されたものでもよい。ＲＦタグ１０は、ＩＣチップ１１とタグアンテナ１２とを一体化して構成してなる電子コンポーネントであり、ＩＣチップ１１は、メモリ１１ａと、メモリ１１ａに対してデータの書込みおよび読出しを行うタグ側データアクセス部１１ｂと、メモリ１１ａから読み出された読出データを送信し、メモリ１１ａへの書込データを受信するタグ側送受信部１１ｃとを有している。
【００２０】
タグ情報処理装置１００は、バーコード情報を読み取るバーコード読取器１２０と、ＲＦタグ１０と無線通信を行うＲＦＩＤ機器（無線通信部）１１０とを備え、読み取られたバーコード情報をコンピュータシステム２３０ａに送信し、コンピュータシステム２３０ａから送り返されたバーコード情報をＲＦＩＤ機器１１０にて受信し、バーコード情報をＲＦタグ１０に送信するものである。
【００２１】
ここで、コンピュータシステム２３０ａは、タグ情報処理装置１００を制御するようプログラムされたＣＰＵ１３０ａを有するコンピュータ本体１３０を備えている。なお、図中、２３２は該コンピュータ本体１３０に接続された表示装置、２３３はキーボード、２３４はマウスである。
【００２２】
ＲＦＩＤ機器１１０およびバーコード読取器１２０のそれぞれは、接続ケーブル１０３ａおよび１０３ｂを介してコンピュータシステム２３０ａのコンピュータ本体１３０に接続されている。ＲＦＩＤ機器１１０からの接続ケーブル１０３ａはコンピュータ本体１３０の入出力ポート１３１ａに接続され、バーコード読取器１２０からの接続ケーブル１０３ｂはコンピュータ本体１３０の入力ポート１３１ｂに接続されている。
【００２３】
図３は、タグ情報処理装置１００の詳細な構成を説明する図であり、図３（ａ）は斜視図、図３（ｂ）は、タグ情報処理装置１００におけるＦＲＩＤ機器１１０の構成を示すブロック図である。図４は、タグ情報処理装置１００の断面構造を示す図であり、図４（ａ）は、図３（ａ）のＹ−Ｙ線縦断面の構造を示し、図４（ｂ）は、図３（ａ）のＸ−Ｘ線縦断面の構造を示している。
【００２４】
タグ情報処理装置１００のＲＦＩＤ機器１１０は、ＲＦタグ１０との無線通信のためのアンテナ１１３と、該アンテナ１１３に接続され、ＲＦタグ１０と無線通信を行う機器側送受信部１１２と、該送受信部１１２に接続され、上記コンピュータシステム２３０ａのコンピュータ本体１３０との間でデータのアクセスを行う機器側データアクセス部１１１とを有している。
【００２５】
タグ情報処理装置１００の筐体１０１は、ＲＦＩＤ機器１１０を収容する筐体本体１０１ａと、バーコード読取器１２０を収容する筐体頭部１０１ｂとを有している。筐体は樹脂成型などで形成されている。なお、図中、Ｐは筐体１０１の載置面である。
【００２６】
筐体本体１０１ａ内のスペースは、仕切り板１０２により上下に仕切られており、仕切り板１０２上にはＲＦＩＤ機器１１０が配置され、ＲＦＩＤ機器１１０の表面はアクリル板１１３ａにより覆われている。仕切り板１０２の下側には、このタグ情報処理装置１００の電源ユニット１４０が配置されている。この電源ユニット１４０はＲＦＩＤ機器１１０およびバーコード読取器１２０に電源を供給するものである。ただし、電源ユニット１４０の配置および構成はこれに限定されるものではない。例えば、ＲＦＩＤ機器１１０は電源ユニットを内蔵したものでもよい。
【００２７】
筐体頭部１０１ｂは、バーコード読取器１２０のバーコード検出面１２０ａを含む第１の平面と、アンテナ１１３の、電波を放射あるいは検出するアンテナ面１１０ａを含む第２の平面とが、９０度から９０度より大きい所定の角度までの範囲内で調整可能となるように、該筐体本体１０１ａに対して回転可能に取り付けられている。
【００２８】
具体的には、筐体本体１０１ａは、その一端側に取り付けられ、筐体頭部１０１ｂを支持する支持軸部材１０１ｃを有し、筐体頭部１０１ｂは、その下部に、支持軸部材１０１ｃを挿入する挿入孔１０１ｄを形成したものであって、支持軸部材１０１ｃとその挿入孔１０１ｄとの摩擦係合により、筐体頭部１０１ｂの筐体本体１０１ａに対する姿勢が保持されるものである。つまり、支持軸部材１０１ｃの軸を含む水平面Ｐ１に対する、支持軸部材１０１ｃの軸を含む筐体頭部１０１ｂの基準面Ｐ２の角度θが一定に保持される。
【００２９】
このように筐体頭部１０１ｂを筐体本体１０１ａに対して回転可能に支持することにより、以下のような有用な使い方ができる。
【００３０】
例えば、物品管理ラベル１は、種々の大きさや形状の商品や部品などに貼り付けれているが、その場合は、物品の、物品管理ラベル１が取り付けられている部分の形状に応じて、タグ情報処理装置１００の筐体頭部１０１ｂを筐体本体１０１ａに対して回転させて、バーコード検出面１２０ａとＲＦＩＤ機器１０のアンテナ面１１０ａとのなす角度を、物品の物品管理ラベル１の取り付け部分が、該アンテナ面１１０ａとバーコード検出面１２０ａとの間にスムースに収容されるよう調節することができる。
【００３１】
次に本実施形態の情報処理システムの動作について説明する。
【００３２】
このような構成のタグ情報処理システム１００ａでは、図２（ａ）に示す物品管理ラベル１をそのバーコードラベル２０が、タグ情報処理装置１００のバーコード検出面１２０ａに近接して対面するよう近づけると、タグ情報処理装置１００のＲＦＩＤ機器１１０から放射された電波により、物品管理ラベル１のＲＦタグ１０が給電され、ＲＦタグ１０が起動し、該ＲＦタグ１０からＲＦＩＤ機器１１０へ起動トリガ信号が送信される。また、このとき、タグ情報処理装置１００のバーコード読取部１２０により、物品管理ラベル１のバーコードラベル２０からバーコード情報が読み取られ、接続ケーブル１０３ｂを介してタグ情報処理システム１００ａのコンピュータ本体１３０に送信されている。
【００３３】
ＲＦＩＤ機器１１０が起動トリガ信号を受信すると、該ＲＦＩＤ機器１１０は起動トリガ信号をタグ情報処理システム１００ａのコンピュータ本体１３０に送信する。
【００３４】
タグ情報処理システム１００ａのコンピュータ本体１３０が起動トリガ信号を受信すると、コンピュータ本体１３０は、受信したバーコード情報をタグ情報処理装置１００に送信する。
【００３５】
このようにして、コンピュータシステム２３０ａからバーコード情報がタグ情報処理装置１００のＲＦＩＤ機器１１０に供給されると、ＲＦＩＤ機器１１０では、バーコード情報はデータアクセス部１１１を介して送受信部１１２に出力され、該送受信部１１２からは、バーコード情報がアンテナ１１３を介して無線通信ＥＷによりＲＦタグ１０に送信される。
【００３６】
ＲＦタグ１０では、ＲＦＩＤ機器１１０から送信されたバーコード情報は、そのタグアンテナ１２を介してタグ側送受信部１１ｃで受信され、タグ側送受信部１１ｃはバーコード情報をタグ側データアクセス部１１ｂに出力する。データアクセス部１１ｂは、入力されたバーコード情報をメモリ１１ａに格納する。
【００３７】
このように本実施形態１のタグ情報処理システム１００ａでは、物品管理ラベル１のバーコードレベル２０をタグ情報処理装置１００のバーコード検出面１２０ａに近づけるだけで、物品管理ラベル１のバーコードラベル２０のバーコード情報が、物品管理ラベル１のＲＦタグ１０に自動的に書き込まれることとなる。これにより、ほとんど人手によることなく、バーコードラベル２０とＲＦタグ１０とを併用する物品管理ラベル１のバーコード情報をそのＲＦタグ１０に書き込むことができ、このような物品管理ラベル１を、バーコード情報に基づいてＲＦタグ１０の特徴を生かして物品を管理できるラベルにすることができる。
【００３８】
また、本実施形態１では、タグ情報処理装置１００をその筐体頭部１０１ｂが筐体本体１０１ａに対して回転可能な構造としているので、バーコード検出器１２０のバーコード検出面１２０ａとＲＦＩＤ機器１１０のアンテナ面１１０ａとのなす角度を、物品の物品管理ラベル１の取り付け部分が、該アンテナ面１１０ａとバーコード検出面１２０ａとの間にスムースに収容されるよう調節することができる。これにより、物品管理ラベル１が物品の一部に取り付けられた状態でも、物品管理ラベル１のバーコード情報のＲＦタグへの書込みを作業性よく行うことができる。
【００３９】
また、本実施形態１では、筐体本体に対して回転可能な筐体頭部１０１を、筐体本体に固定した支持軸との摩擦係合により保持するようにしているので、ユーザーが筐体頭部を強く前後に押すことで、筐体頭部の筐体本体に対する角度を変えることができる。
【００４０】
なお、上記実施形態では、タグ情報処理装置１００として、その筐体頭部１０１ｂが筐体本体１０１ａに対して回転可能な構造としたものを示しているが、タグ情報処理装置は、その筐体頭部１０１ｂが筐体本体１０１ａに対して所定の角度をなすよう固定されているものでもよい。例えば、筐体頭部に収容されたバーコード読取器のバーコード検出面が、筐体本体に収容されたＲＦＩＤ機器のアンテナ面の上方に位置し、かつ、該バーコード検出面を含む第１の平面と、該アンテナ面を含む第２の平面とが９０度以上の所定の鈍角をなして交わるように、筐体頭部の筐体本体に対する角度を設定することにより、アンテナ面とバーコード検出面との間には広いスペースを確保できる。これにより、物品管理ラベル１のバーコード情報のＲＦタグへの書込みの作業性を確保しつつ、タグ情報処理装置の筐体を簡単な構造とすることができる。
【００４１】
また、上記実施形態では、物品管理ラベル１のＲＦタグ１０からの起動トリガ信号によりバーコードラベル２０からバーコード情報を読み出し、読み出したバーコード情報を、起動トリガ信号を出力したＲＦタグ１０と関連付けるものを示しているが、バーコード情報とＲＦタグとの関連付けは、バーコード情報の読出しタイミングと、ＲＦタグからのＩＣタグ情報の読出しタイミングとに基づいて行うようにしてもよい。
【００４２】
また、上記実施形態では、タグ情報処理システムとして、物品管理ラベル１のバーコードラベル２０からバーコード情報を読み出し、該読み出したバーコード情報を、この物品管理ラベル１のＲＦタグ１０に書き込むことにより、バーコード情報とＲＦタグとの関連付けを行うものを示したが、本発明のタグ情報処理システムはこれに限るものではない。
【００４３】
例えば、物品管理ラベル１のＲＦタグ１０からＲＦタグの識別情報を読出し、同じ物品管理ラベル１のバーコードラベル２０からバーコード情報を読出し、このＲＦタグの識別情報を用いて、読み出したＲＦタグ情報とバーコード情報とをコンピュータシステム側で関連付けるようにしてもよい。このように１つの物品管理ラベル１のＲＦタグとバーコード情報とを関連付けしておくことにより、必要に応じて、各物品管理ラベル１のＲＦタグに、対応するバーコード情報を書込むことも可能である。
【００４４】
また、上記実施形態では、バーコードとＲＦタグとを併用した物品管理ラベルを例に挙げて説明したが、バーコード情報とＲＦタグとの関連付けは、このような物品管理ラベルに限定されない。例えば、本発明のタグ情報処理装置およびタグ情報処理システムでは、商品や部品などの物品に、バーコードラベルとＲＦタグとが別々に取り付けられている場合でも、この物品に取り付けられているバーコードラベルのバーコード情報を、同じ物品に取り付けられているＲＦラグと関連付けることができる。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【産業上の利用可能性】
【００４６】
本発明は、タグ情報処理装置およびタグ情報処理システムの分野において、バーコードとＲＦタグとを併用した物品管理ラベルを、簡単な作業により、バーコード情報に基づいてＲＦタグの特徴を生かして物品を管理できるラベルにすることができ、バーコードからＲＦタグへの移行が進む中、これらを併用したラベルにより物品を管理する上で有用なものである。
【図面の簡単な説明】
【００４７】
【図１】図１は本発明の実施形態１によるタグ情報処理システムを説明する図であり、図１（ａ）は全体構成を示す図、図１（ｂ）はその主要部を概念的に示す図である。
【図２】図２は、このようなバーコードとＲＦタグを併用した物品管理ラベルを説明する図であり、図２（ａ）はその外観を示す平面図であり、図２（ｂ）はそのＲＦタグの回路構成を示す図である。
【図３】図３は、実施形態１のタグ情報処理システムを構成するタグ情報処理装置を説明する図であり、図３（ａ）はタグ情報処理装置を示す斜視図、図３（ｂ）は、タグ情報処理装置におけるＦＲＩＤ機器の構成を示すブロック図である。
【図４】図４は、実施形態１のタグ情報処理装置１００の断面構造を示す図であり、図４（ａ）は、図３（ａ）のＹ−Ｙ線縦断面の構造を示し、図４（ｂ）は、図３（ａ）のＸ−Ｘ線縦断面の構造を示している。
【符号の説明】
【００４８】
１  物品管理ラベル
１ａ  ラベルシート
１０  ＲＦタグ
１１  ＩＣチップ
１１ａ  メモリ
１１ｂ  タグ側データアクセス部
１１ｃ  タグ側送受信部
２０  バーコードラベル
２０ａ  数字列
２０ｂ  バーコード
１００  タグ情報処理装置
１００ａ  タグ情報処理システム
１０１  筐体
１０１ａ  筐体本体
１０１ｂ  筐体頭部
１０１ｃ  支持軸部材
１０１ｄ  軸挿入孔
１０３ａ、１０３ｂ  接続ケーブル
１１０  ＲＦＩＤ機器（無線通信部）
１１０ａ  アンテナ面
１１１  機器側データアクセス部
１１２  機器側送受信部
１１３  アンテナ
１２０  バーコード読取器
１２０ａ  バーコード検出面
１３０  コンピュータ本体
１３０ａ  ＣＰＵ
２３０ａ  コンピュータシステム
【図１】
2009187407.tif 000003
【図２】
2009187407.tif 000004
【図３】
2009187407.tif 000005
【図４】
2009187407.tif 000006